(57)【特許請求の範囲】
【請求項１】
少なくとも踵部を有する採血処置の訓練用の疑似足底であって、
前記踵部の内部に設けられ、疑似血液が充填される疑似血管要素と、
前記疑似血管要素の表面側を覆うようにして前記踵部の全表面に設けられた疑似皮膚層と、
前記疑似血管要素の奥側を支える弾性要素と、
を備え、
前記疑似皮膚層は、前記踵部の底部表面側の中央領域では厚みが増大されている一方、前記踵部の側部表面側では厚みが１．２乃至１．５ｍｍとなっていて当該側部表面側の両側部に亘って採血処置の予定領域を提供しており、
前記弾性要素を介して前記疑似血管要素に疑似血液を充填可能であるように、疑似血液供給路が形成されている
ことを特徴とする採血処置の訓練用の疑似足底。
【請求項２】
前記疑似血管要素は、綿材で形成されている
ことを特徴とする請求項１に記載の採血処置の訓練用の疑似足底。
【請求項３】
前記弾性要素は、スポンジ材で形成されている
ことを特徴とする請求項１または２に記載の採血処置の訓練用の疑似足底。
【請求項４】
前記擬似足底は、下方足首部と、当該下方足首部から更に上方に延びる環状のカバー部と、を更に有しており、
疑似血液供給管を内蔵する疑似上方足首が、前記下方足首部と連結可能となっており、  前記環状のカバー部が、前記疑似上方足首の周囲に密着するようになっている
ことを特徴とする請求項１乃至３のいずれかに記載の採血処置の訓練用の疑似足底。
【発明の詳細な説明】
【技術分野】
【０００１】
本発明は、足底からの採血処置、特には新生児の足底からの採血処置の訓練用の疑似足底に関する。
【背景技術】
【０００２】
新生児の足底からの採血処置は、現在、医師のみが行うことができる医療行為である。具体的には、足底表面から１．２乃至１．５ｍｍ（推奨は、１．３乃至１．４ｍｍ）の位置に正確に注射針が挿入されて、採血処置が行われる。
【０００３】
当該採血処置の訓練用の疑似足底は、これまで開発されていない。しかしながら、将来的には看護師が当該採血処置を行うことが認可される可能性があるため、そのような時代には看護学校等にて当該採血処置を訓練させるための疑似足底の開発が望まれる。
【０００４】
一方、手首部からの採血処置の訓練用の疑似手腕は、特許文献１（特開２００６−３１７５７０号公報）等から知られている。
【先行技術文献】
【特許文献】
【０００５】
【特許文献１】特開２００６−３１７５７０号公報
【発明の概要】
【発明が解決しようとする課題】
【０００６】
本発明は、以上のような問題点に着目し、これを有効に解決すべく創案されたものである。本発明の目的は、足底からの採血処置の訓練用の疑似足底を提供することである。
【課題を解決するための手段】
【０００７】
本発明は、少なくとも踵部を有する採血処置の訓練用の疑似足底であって、疑似血液が充填される疑似血管要素と、前記疑似血管要素の表面を覆う疑似皮膚層と、前記疑似血管要素の裏側を支える弾性要素と、を備え、前記疑似皮膚層は、踵部の中央領域では厚みが増大されている一方、採血処置の予定領域では厚みが１．２乃至１．５ｍｍとなっていることを特徴とする採血処置の訓練用の疑似足底である。
【０００８】
本発明によれば、踵部の中央領域の厚みが増大されているために、実際の足底と同様の触感ないし質感を得ることができる一方、採血処置の予定領域の疑似皮膚層の厚みは１．２乃１．５ｍｍとなっているため、採血処置のシミュレーションの程度も高い。また、疑似血管要素の裏側が弾性要素で支持されているため、訓練が繰り返されても、擬似血管要素が奥側に退行する（へたる）ことが効果的に防止される。
【０００９】
好ましくは、前記疑似血管要素は、綿材（コットン）で形成されている。本件発明者の検討実験によれば、疑似血液で充填された綿材は、注射針挿入時に注射針に作用する疑似血液の表面張力という観点で、実際の血管と極めて近い特性を有する。本件発明者の検討実験によれば、綿材（綿花）の他に、綿生地、絹、絹綿、海綿、パルプ、高分子量ポリマー、高吸収性ポリマー、ナイロン繊維、ポリエステル、羊毛、フェルト、アルパカ毛、和紙等も、ある程度好適に利用可能であるが、綿材が最も好適である。
【００１０】
一方、前記弾性要素は、好ましくは、スポンジ材で形成されている。スポンジ材とは、ナイロンスポンジ、ゴムスポンジ、樹脂スポンジ等のいずれでもよい。本件発明者の検討実験によれば、スポンジ材の他に、発砲ウレタン、発泡性シリコン（フォームシリコン）、発泡性ラテックス（フォームラテックス）、発砲ポリウレタンフォーム等も、ある程度好適に利用可能であるが、スポンジ材が最も好適である。
【００１１】
弾性要素としてスポンジ材を利用する場合には、スポンジ材が多孔性であることを利用して、当該スポンジ材を介して疑似血管要素に疑似血液を充填させる態様を採用可能である。具体的には、疑似血管要素に疑似血液を供給するための疑似血液供給路が、スポンジ材を通るような経路として形成され得る。
【００１２】
また、好ましくは、前記擬似足底は、下方足首部と、当該下方足首部から更に上方に延びる環状のカバー部と、を有しており、疑似血液供給管を有する疑似上方足首が、前記下方足首部と連結可能となっており、前記環状のカバー部が、前記疑似上方足首の周囲に密着するようになっている。この場合、疑似血液供給装置は、疑似上方足首の疑似血液供給管に接続すれば良いため、配置の自由度が増す一方、擬似足底と疑似上方足首とが疑似血液の漏洩無く結合されるため、採血処置の訓練場所が汚染されるおそれもない。
【発明の効果】
【００１３】
本発明によれば、踵部の中央領域の厚みが増大されているために、実際の足底と同様の触感ないし質感を得ることができる一方、採血処置の予定領域の疑似皮膚層の厚みは１．２乃至１．５ｍｍとなっているため、採血処置の真正度が高い。また、疑似血管要素の裏側が弾性要素で支持されているため、訓練が繰り返されても、擬似血管要素が奥側に退行する（へたる）ことが効果的に防止されている。
【図面の簡単な説明】
【００１４】
【図１】本発明の一実施の形態の採血処置の訓練用の擬似足底を備えた新生児人形を示す概略図である。
【図２】図１の擬似足底の構成を示す概略斜視図である。
【図３】図１の擬似足底を疑似上方足首から取り外した状態を示す概略斜視図である。
【図４】図３の擬似足底のIV−IV線断面図である。
【発明を実施するための形態】
【００１５】
以下に、添付の図面を参照して、本発明の一実施の形態を詳細に説明する。
【００１６】
図１は、本発明の一実施の形態の採血処置の訓練用の擬似足底１０を備えた新生児人形１００を示す概略図である。
【００１７】
図１に示すように、新生児人形１００の右足の足底に相当する部位が、擬似足底１０として構成されている。そして、図１に示すように、本実施の形態の擬似足底１０は、踵部１１と、足指部１２と、下方足首部１３と、下方足首部１３から更に上方に延びる環状のカバー部１４と、を有している。
【００１８】
一方、新生児人形１００の一部として構成された疑似上方足首５０には、疑似血液供給管５１が内蔵されている。疑似血液供給管５１は、ひさの裏に対応する部位の辺りから外部に露出している。そして、環状のカバー部１４が、疑似上方足首５０の周囲に密着していて、これにより、疑似血液の漏洩が無いように擬似足底１０と疑似上方足首５０とが結合されている。疑似血液供給管５１の外部露出部には、追加の疑似血液充填時に、疑似血液供給装置（不図示）が接続されるようになっている。
【００１９】
続いて、図２は、図１の擬似足底１０の概略斜視図であり、図３は、図１の擬似足底１０を疑似上方足首５０から取り外した状態を示す概略斜視図であり、図４は、図３の擬似足底１０のIV−IV線断面図である。
【００２０】
図２乃至図４に示すように、本実施の形態の擬似足底１０は、疑似血液が充填される疑似血管要素としての綿材（コットン）２１と、当該綿材２１の裏側（奥側）を支える弾性要素としてのスポンジ材２２と、を備えている。本実施の形態では、約５ｍｍの厚みを有する平坦なスポンジ材２２を、やはり約５ｍｍの厚みの綿材２１が覆っている。すなわち、スポンジ材２２の外側（足裏面側）のみならず、スポンジ材２２の横側及び内側をも綿材２１が覆っている。スポンジ材２２は、平面視では、長径２０ｍｍ・短径１０ｍｍ程度の略長円形状である。
【００２１】
疑似血管要素としての綿材２１の更に外側は、疑似皮膚層３０に覆われている。疑似皮膚層３０は、本実施の形態では、図４に示すように、内部層３１と、外部シリコン層３２と、の２層構造となっている。
【００２２】
図４に示すように、外部シリコン層３２は、本実施の形態の擬似足底１０の最外層を構成し、エアブラシ（吹き付け工程）によって、厚み１．２ｍｍ〜１．５ｍｍで形成されている。外部シリコン層３２は、通常は、液体状のシリコンを溶剤で薄めたものを用いて形成される。エアブラシの他に、刷毛や各種ブラシが用いられてもよい。図４に示す通り、本実施の形態の擬似足底１０における採血処置の予定領域は、踵部１１の両側部のＬ領域及びＲ領域であるが、これらＬ領域及びＲ領域においては、内部層３１は設けられず、外部シリコン層３２のみが設けられている。
【００２３】
一方、踵部１１及び下方足首部１３では、実際の足底ないし足首と同様の触感ないし質感を得るべく、図４に示す通り、肉厚に所望形状に整形された内部層３１が設けられている。内部層３１は、外部シリコン層３２と同様に、シリコン基材から形成されることが一般的であるが、他の材料から形成されてもよい。
【００２４】
また、本実施の形態では、スポンジ材２２を介して綿材２１に疑似血液を追加的に充填可能であるように、疑似血液供給路４０が形成されている。具体的には、スポンジ材２２の上方に綿材２１ないし内部シリコン層３１で覆われない区域が円形孔部として設けられ、当該円形孔部が疑似血液供給路４０を構成している。そして、疑似上方足首５０の疑似血液供給管５１に連通するプラスチック製の結合管（ルアージョイント）５２が、当該疑似血液供給路４０に挿入されて結合されている。
【００２５】
次に、以上のような構成からなる本実施の形態の作用について説明する。
【００２６】
訓練実施者は、利手において採血処置用の注射針を把持し、本実施の形態の擬似足底１０の踵部１１を利手とは逆側の手によって把持する。そして、注射針を採血処置の予定領域（Ｒ領域またはＬ領域：図４参照）に挿入する。注射針は、１．２ｍｍ乃至１．５ｍｍの深さだけ挿入されると、疑似血管要素としての綿材２１に到達する。すると、疑似血液の表面張力により、綿材２１から注射針の方に擬似血液が吸い上げられて採血される。所定量の採血が行われた後、注射針は抜き取られる。
【００２７】
ここで、踵部１１の中央領域の厚みが内部層３１の存在によって実際の足同様となっているために、訓練者は実際の足底と同様の触感ないし質感を得ることができる。一方、採血処置の予定領域においては、疑似皮膚層としての外部シリコン層３２の厚みが１．２乃至１．５ｍｍとなっているため、採血処置の模擬（シミュレーション）の程度も高い。
【００２８】
注射針が抜き取られた後は、注射針の痕孔を修復するべく、シリコン用テープが粘着されるか、シリコン用セメダインで埋戻（接着）されることが好ましい。このようなメンテナンスにより、本実施の形態の擬似足底１０は、ある程度繰り返して利用することができる。
【００２９】
ここで、繰り返しの採血処置の訓練によって、擬似血管要素としての綿材２１が奥側に退行する（へたる）ことも想定され得るが、綿材２１の内側がスポンジ材２２によって弾性的に支持されているため、注射針による押圧力の負荷は効果的に逃がされる。従って、採血処置の訓練が繰り返されても、擬似血管要素としての綿材２１が奥側に退行したり、不所望に偏在してしまうということが抑制される。
【００３０】
綿材２１に充填された疑似血液が採血処置の継続によって不足になった場合には、疑似上方足首５０の疑似血液供給管５１に疑似血液供給装置（不図示）が接続されて、適宜に疑似血液が補充される。供給される疑似血液は、疑似血液供給管５１、結合管５２、疑似血液供給路４０、スポンジ材２１を介して、綿材２１に至る。
【００３１】
擬似足底１０に何らかの不具合が発生した場合には、環状のカバー部１４を下方側に折り返すことによって、図３に示すように、擬似足底１０は容易に疑似上方足首５０から取り外すことができる。
【００３２】
以上のように、本実施の形態によれば、踵部１１の中央領域の厚みが内部層３１の存在によって実際の足同様となっているために、訓練者は実際の足底と同様の触感ないし質感を得ることができる。一方、採血処置の予定領域においては、疑似皮膚層としての外部シリコン層３２の厚みが１．２乃１．５ｍｍとなっているため、採血処置の模擬（シミュレーション）の程度が高い。
【００３３】
また、綿材２１の内側がスポンジ材２２によって弾性的に支持されているため、注射針による押圧力の負荷が効果的に逃がされ、擬似血管要素としての綿材２１が奥側に退行したり、不所望に偏在してしまうということが抑制される。
【符号の説明】
【００３４】
１０  擬似足底
１１  踵部
１２  足指部
１３  下方足首部
１４  環状のカバー部
２１  綿材（擬似血管要素）
２２  スポンジ材（弾性要素）
３０  擬似皮膚層
３１  内部層
３２  外部シリコン層
４０  疑似血液供給路
５０  疑似上方足首
５１  疑似血液供給管
５２  結合管（ルアージョイント）
１００  新生児人形
【図１】
0005955533.tif 000002
【図２】
0005955533.tif 000003
【図３】
0005955533.tif 000004
【図４】
0005955533.tif 000005